(57)【特許請求の範囲】
【請求項１】
タクシーの料金制を示す料金制情報を記憶する料金制情報記憶手段と、前記タクシーの料金制を含む運行状態を設定するタリフ設定手段と、前記料金制情報記憶手段が記憶している料金制情報と前記タクシーの走行距離と走行時間とに基づいて距離制料金を算出するタクシー料金算出手段と、前記タクシー料金算出手段が算出した前記距離制料金を表示する表示手段と、を有するタクシーメータにおいて、
前記表示手段に、第１の表示領域と、前記第１の領域よりも表示文字が小さい第２の表示領域と、が設けられ、
前記タリフ設定手段によって予め定められた定額の料金制である定額制料金に設定された場合は、前記第１の表示領域に当該定額の料金を表示させるとともに、前記第２の表示領域に前記タクシー料金算出手段が算出した前記距離制料金を逐次更新させて表示させる表示制御手段を有している
ことを特徴とするタクシーメータ。
【請求項２】
前記タリフ設定手段が、前記定額制料金に設定されている際に前記距離制料金に再設定された場合は、前記表示制御手段が、前記第１の表示領域に前記距離制料金を表示させることを特徴とする請求項１に記載のタクシーメータ。
【請求項３】
前記タリフ設定手段が、前記定額制料金に設定されている際に支払状態に設定された場合は、前記表示制御手段が、前記第２の表示領域の表示を消去し、前記表示手段に当該定額の料金のみを表示させることを特徴とする請求項１または２に記載のタクシーメータ。
【請求項４】
前記タリフ設定手段が、複数の定額料金を切り替え可能に構成されていることを特徴とする請求項１乃至３のうちいずれか一項に記載のタクシーメータ。
【発明の詳細な説明】
【技術分野】
【０００１】
本発明は、少なくともタクシーの走行距離と走行時間とに基づいた料金制および予め定められた定額の料金制が利用可能なタクシーメータに関する。
【背景技術】
【０００２】
タクシーの乗車料金は、一般に、営業走行距離等に応じたその後料金を基本料金に加算することで金額が変動する距離制料金と、営業走行距離等に関係なく一定金額に固定した定額制料金などがあり、これらはタクシーメータのタリフボタンなどの操作により選択、設定される。
【０００３】
そして、この種のタクシーメータにおいて、距離制料金と定額制料金とを同時に表示することは乗客が乗車料金を誤認する恐れがあるために困難であった。そのために、タクシーメータに外付けする料金器を別途接続し料金操作を行うか、ハンディテンキーなどを用いて直接金額を入力する等といったことが行われていた（例えば、特許文献１、２参照）。
【先行技術文献】
【特許文献】
【０００４】
【特許文献１】特開平９−８１８０６号公報
【特許文献２】特開平８−２０２９０１号公報
【発明の概要】
【発明が解決しようとする課題】
【０００５】
しかしながら、上述したようなタクシーメータとは別の機器を用いる場合、乗務員はタクシーメータとは別の機器の操作が必要となるため、乗務員にとって操作性が悪く、金額入力ミスなどの操作ミスを引き起こす可能性があった。
【０００６】
また、タクシーメータとは別の機器を用いると、乗客からの視認性が悪くなる可能性があり、さらに、ハンディテンキーなどを用いて直接金額を入力する場合は、乗務員操作による金額入力ということでトラブルの原因になるといった問題があった。
【０００７】
そこで、本発明は、乗客が距離制料金と定額制料金との誤認を防止し、また、乗務員の操作性も向上させることができるタクシーメータを提供することを課題とする。
【課題を解決するための手段】
【０００８】
上記課題を解決するためになされた請求項１に記載の発明は、タクシーの料金制を示す料金制情報を記憶する料金制情報記憶手段と、前記タクシーの料金制を含む運行状態を設定するタリフ設定手段と、前記料金制情報記憶手段が記憶している料金制情報と前記タクシーの走行距離と走行時間とに基づいて距離制料金を算出するタクシー料金算出手段と、前記タクシー料金算出手段が算出した前記距離制料金を表示する表示手段と、を有するタクシーメータにおいて、前記表示手段に、第１の表示領域と、前記第１の領域よりも表示文字が小さい第２の表示領域と、が設けられ、前記タリフ設定手段によって予め定められた定額の料金制である定額制料金に設定された場合は、前記第１の表示領域に当該定額の料金を表示させるとともに、前記第２の表示領域に前記タクシー料金算出手段が算出した前記距離制料金を逐次更新させて表示させる表示制御手段を有していることを特徴とするタクシーメータである。
【０００９】
請求項２に記載の発明は、請求項１に記載の発明において、前記タリフ設定手段が、前記定額制料金に設定されている際に前記距離制料金に再設定された場合は、前記表示制御手段が、前記第１の表示領域に前記距離制料金を表示させることを特徴とするものである。
【００１０】
請求項３に記載の発明は、請求項１または２に記載の発明において、前記タリフ設定手段が、前記定額制料金に設定されている際に支払状態に設定された場合は、前記表示制御手段が、前記第２の表示領域の表示を消去し、前記表示手段に当該定額の料金のみを表示させることを特徴とするものである。
【００１１】
請求項４に記載の発明は、請求項１乃至３のうちいずれか一項に記載の発明において、前記タリフ設定手段が、複数の定額料金を切り替え可能に構成されていることを特徴とするものである。
【発明の効果】
【００１２】
請求項１に記載の発明によれば、表示手段に、第１の表示領域と、第１の表示領域よりも表示文字が小さい第２の表示領域と、が設けられ、タリフ設定手段によって定額制料金に設定されている場合は、表示制御手段が、第１の表示領域に当該定額料金を表示させるとともに、第２の表示領域にタクシー料金算出手段が算出した距離制料金を逐次更新させて表示させているので、定額制料金が適用されている場合でも距離制料金を確認することができ、また、距離制料金が第２の表示領域に表示されて第１の表示領域に表示されている定額制料金よりも小さい文字で表示されるために乗客が誤認を防止できる。さらに、別の装置等が不要になり、タリフ切り替えで定額制と距離制との切り替えが可能になるので乗務員の操作性を向上させることができる。
【００１３】
請求項２に記載の発明によれば、タリフ設定手段が、定額制料金に設定されている際に距離制料金に再設定された場合は、表示制御手段が、第１の表示領域に距離制料金を表示させるので、定額制料金で営業中に距離制料金に切替えられた場合でも、タクシー料金算出手段で算出されていた距離制料金への切り替えがスムーズに行え、料金の請求間違いなどを防止することができる。
【００１４】
請求項３に記載の発明によれば、タリフ設定手段が、定額制料金に設定されている際に支払状態に設定された場合は、表示制御手段が、第２の表示領域の表示を消去し、表示手段に当該定額の料金のみを表示とさせるので、料金の支払い時には、定額料金のみが表示され、乗客が誤認することを防止できる。
【００１５】
請求項４に記載の発明によれば、タリフ設定手段が、複数の定額料金を切り替え可能に構成されているので、複数の定額料金を設定することができ、乗務員の操作性を向上させることができる。
【図面の簡単な説明】
【００１６】
【図１】本発明の一実施形態にかかるタクシーメータの構成を示したブロック図である。
【図２】図１に示されたタクシーメータの動作を示したフローチャートである。
【図３】図１に示されたタクシーメータの定額運賃による運行時の表示を示した説明図である。
【図４】図１に示されたタクシーメータの定額運賃による支払時の表示を示した説明図である。
【図５】図１に示されたタクシーメータの実車運賃による支払時の表示を示した説明図である。
【発明を実施するための形態】
【００１７】
次に、本発明の一実施形態を図１ないし図５を参照して説明する。本発明の一実施形態にかかるタクシーメータ１０は図１に示したように、ＣＰＵ１１と、ＲＯＭ／ＲＡＭ１２と、ＲＴＣ１４と、操作部１５と、カードＲ／Ｗインタフェース１６と、表示器１７と、プリンタ１８と、ＧＰＳ受信機１９と、ＥＴＣ車載器２１と、を備えている。
【００１８】
タクシー料金算出手段、表示制御手段としてのＣＰＵ１１は、タクシーメータ１０における各種制御を司り、ＲＯＭ／ＲＡＭ１２のＲＯＭ部に記憶されている各種制御プログラムにしたがって本実施形態に係る制御を含む各種の処理を実行する。料金制情報記憶手段としてのＲＯＭ／ＲＡＭ１２は、ＲＯＭ部とＲＡＭ部とから構成されており、ＲＯＭ部は、前記制御プログラムやタクシーの料金制を示す料金制情報（距離制、定額制、各種割引等）などの各種情報を記憶している。ＲＡＭ部は、ＣＰＵ１１が各種の処理を実行する上において必要なデータ、プログラム等が適宜記憶される。
【００１９】
ＲＴＣ１４は、時計ＩＣであり、日時、時刻等の時計データをＣＰＵ１１に出力する。操作手段としての操作部１５は、空車、賃走、累計、迎車、迎車待、３割増、高速、支払、定額等のタリフ状態の変更操作用の各種操作ボタンを有している。つまり、操作部１５は、タクシーの運行状態を設定することができる。そして、操作部１５は、各操作ボタンの操作に応じたタリフ状態データをＣＰＵ１１に出力する。
【００２０】
カードＲ／Ｗインタフェース１６は、ＣＰＵ１１に接続されている。カードＲ／Ｗインタフェース１６は、挿入されたメモリカード、ＩＣカード等のカードＣに指定されたデータ等の書き込み、読み込みを行うもので、カードＣのカードＲ／Ｗインタフェース１６に対する挿入・抜去は手動又は自動で行う。
【００２１】
表示手段としての表示器１７は、例えばマトリクス型液晶ディスプレイ（ＬＣＤ）などで構成され、インタフェースを介してＣＰＵ１１と接続され、タクシー料金やタリフ状態などを表示し、乗客や運転者等から視認可能なように設置されている。表示器１７は、ＬＣＤに限らずフルドット型の表示器であればよい。
【００２２】
プリンタ１８は、インタフェースを介してＣＰＵ１１に接続されている。プリンタ１８は、ＣＰＵ１１の制御によってタクシー料金の支払い時に領収書等を出力する。プリンタ１８は、タクシーメータ本体に組み込まれる又は外部機器として接続される。
【００２３】
ＧＰＳ受信機１９は、搭載されたタクシーの現在位置を検出するために、ＧＰＳを構成する複数の人工衛星が発射する電波を受信して、このＧＰＳ受信機１９の現在の位置情報を求め、この現在の位置情報をインタフェースを介してＣＰＵ１１に出力している。
【００２４】
ＥＴＣ車載器２０は、タクシーのダッシュボード等に、その進行方向に対して斜め上方を向くように搭載されている。ＥＴＣ車載器２０は、周知であるように、有料道路上のゲートに設置された無線式の料金処理装置との間で無線通信を行い、装着されたカードに記憶されている電子現金情報によって有料道路における通行料金の自動収受を行う自動料金収受システム（ＥＴＣ）に用いられるものである。さらに、ＥＴＣ車載器２０は、路側器から電波信号を受信すると、該電波信号はＡ／Ｄ変換されて受信情報としてインタフェースを介してＣＰＵ１１に出力する構成となっている。
【００２５】
次に、上述した構成のタクシーメータ１０の動作を図２のフローチャートを参照して説明する。図２に示したフローチャートはＣＰＵ１１で実行される。
【００２６】
まず、初期状態として空車状態（ステップＳ１）から操作部１５において定額ボタンが押下（操作）されたか否か判断し（ステップＳ２）、押下された場合（ＹＥＳの場合）はＣＰＵ１１内またはＲＯＭ／ＲＡＭ１２のＲＡＭ部などに保持される定額フラグをＯＮに設定し（ステップＳ３）、外部からのスピード入力およびＲＴＣ１４の時計データに基づいて距離制運賃（距離制料金）を算出する距離・時間演算を開始し（ステップＳ４）、定額運賃（定額制料金）を表示させて（ステップＳ５）、実車運賃即ち距離制運賃を表示させる（ステップＳ６）。
【００２７】
表示器１７は、図３に示すように、定額運賃による営業（運行）時には、第１表示領域１７ａと第１表示領域１７ａの下方に第２表示領域１７ｂが設けられる。上述したステップＳ５では、第１表示領域１７ａには定額運賃が「定額運賃」との表示とともに表示される。また、ステップＳ６では、第２表示領域１７ｂに実車運賃が「距離別運賃」との表示とともに第１表示領域に表示されている定額運賃の金額よりも小さい文字で表示される。
【００２８】
上述したステップＳ２、Ｓ３、Ｓ４、Ｓ５、Ｓ６と進むことで、定額運賃による営業が開始され、定額運賃が第１表示領域１７ａに表示されるとともに、実車運賃も第２表示領域１７ｂに逐次更新されて表示される。
【００２９】
ステップＳ２で定額ボタンが押下されていない場合（ＮＯの場合）は、実車ボタンが押下（操作）されたか否か判断し（ステップＳ７）、押下された場合（ＹＥＳの場合）はステップＳ３実行時にＯＮに設定される定額フラグがＯＮになっている否かを判断し（ステップＳ８）、ＯＮになっている場合（ＹＥＳの場合）は定額フラグをＯＦＦに設定し（ステップＳ９）、定額運賃を消去し（ステップＳ１０）、実車運賃単独表示を行う（ステップＳ１２）。
【００３０】
また、ステップＳ８で定額フラグがＯＮになっていない場合（ＮＯの場合）は、ステップＳ１１でステップＳ４と同様に距離・時間演算を開始してステップＳ１２に進む。したがって、ステップＳ７、Ｓ８、Ｓ９、Ｓ１０、Ｓ１２と進んだ場合は、定額運賃で営業中に定額運賃から実車運賃に切り替えられた場合を示し、その場合は、第１表示領域１７ａに表示されていた定額運賃を消去して第２表示領域１７ｂに表示されていた実車運賃を第１表示領域１７ａに表示している。また、ステップＳ７、Ｓ８、Ｓ１１、Ｓ１２と進んだ場合は、実車運賃による営業であり、営業の当初から第１表示領域１７ａに実車運賃を表示している。
【００３１】
ステップＳ７で実車ボタンが押下されていない場合（ＮＯの場合）は、支払ボタンが押下（操作）されたか否か判断し（ステップＳ１３）、押下されていない場合（ＮＯの場合）は定額、実車、支払以外のボタンの処理を行い（ステップＳ１４）、押下された場合（ＹＥＳの場合）は定額フラグがＯＮになっているか否かを判断し（ステップＳ１５）、ＯＮになっている場合（ＹＥＳの場合）は定額運賃支払を表示する（ステップＳ１６）。この定額運賃支払いは図４に示したように、第１表示領域１７ａと第２表示領域１７ｂと合わせた領域（表示器１７の表示領域）の略中央に定額運賃を表示する。また、この際には定額運賃であることを表示し、乗客に定額運賃であることを視認し易くする。或いは、第１表示領域１７ａに定額運賃のみを表示してもよい。この場合は第１表示領域１７ａに定額運賃を表示し、第２表示領域１７ｂに実車運賃を表示しない（何も表示しない）。表示器１７は１つのフルドット型のＬＣＤで構成されているので、第１表示領域１７ａと第２表示領域１７ｂは、双方を合わせて１つの表示領域として扱うことが可能である。
【００３２】
一方、定額フラグがＯＮになっていない場合（ＮＯの場合）は実車運賃支払を表示する（ステップＳ１７）。この実車運賃支払いは図５に示したように、第１表示領域１７ａと第２表示領域１７ｂと合わせた領域（表示器１７の表示領域）の略中央に実車運賃を表示する。勿論、定額運賃支払と同様に第１表示領域１７ａに実車運賃を表示しても良い。このように支払ボタンが押下された場合は、定額運賃で運行されていれば定額運賃のみ、実車運賃で運行されていれば実車運賃のみ、即ち乗客に請求する金額のみを表示している。
【００３３】
本実施形態によれば、表示器１７に第１表示領域１７ａと、第１表示領域１７ａよりも表示文字が小さい第２表示領域１７ｂと、が設けられ、操作部１５によって定額運賃に切り替えられている場合は、ＣＰＵ１１が、第１表示領域１７ａに当該定額運賃が表示されるとともに、第２表示領域１７ｂに逐次算出される実車運賃がリアルタイムに更新されながら表示されているので、定額運賃が適用されている場合でも実車運賃を確認することができ、また、実車運賃が第２表示領域１７ｂに表示されて第１表示領域１７ａに表示されている定額運賃よりも小さい文字で表示されるために、乗客が誤認を防止できる。さらに、別の装置等が不要になり、操作部１５によるボタン操作で定額制と距離制との切り替えが可能になるので乗務員の操作性を向上させることができる。
【００３４】
また、表示器１７を液晶ディスプレイなどのフルドット表示器で構成されているので、表示領域に表示できる情報量が多くなり、文字の大きさや表示位置の設定の自由度が増し、乗客に誤認されない表示が可能となる。
【００３５】
また、定額運賃で運行中に、操作部１５によって実車運賃に切り替えられた場合は、表示器１７には、第１表示領域１７ａに定額運賃を消去して実車運賃を表示するので、定額運賃から実車運賃に切替えられた場合でも、実車運賃への切り替えがスムーズに行え、運賃の請求間違いなどを防止することができる。
【００３６】
また、定額運賃で運行中に操作部１５から支払ボタンが押下れた場合は、表示器１７が、第２表示領域１７ｂの表示を消し、表示器１７には定額運賃のみの表示とするので、運賃の支払い時には、乗客に請求する料金のみが表示され、乗客が誤認することを防止できる。
【００３７】
上述した実施形態では、定額運賃を１種類で説明したが、例えば複数設定し、操作部１５の定額ボタンを押下毎に切り替えるようにしてもよい。
【００３８】
また、定額運賃とＥＴＣ料金、障害者割引等が発生した場合には、操作部１５に合計ボタンを設けて、その合計ボタンを押下することで、表示器１７に合算表示を行うようにしてもよいし、さらに、操作部１５に累計ボタンを設けて、その累計ボタンを押下することで、表示器１７に発生した料金の明細表示を行うようにしてもよい。
【００３９】
なお、上述した実施形態は本発明の代表的な形態を示したに過ぎず、本発明は、実施の形態に限定されるものではない。すなわち、本発明の骨子を逸脱しない範囲で種々変形して実施することができる。
【符号の説明】
【００４０】
１０          タクシーメータ
１１          ＣＰＵ（タクシー料金算出手段、表示制御手段）
１２          ＲＯＭ／ＲＡＭ（料金制情報記憶手段）
１５          操作部（操作手段）
１７          表示器（表示手段）
１７ａ        第１表示領域（第１の表示領域）
１７ｂ        第２表示領域（第２の表示領域）
【図１】
0005627443.tif 000002
【図２】
0005627443.tif 000003
【図３】
0005627443.tif 000004
【図４】
0005627443.tif 000005
【図５】
0005627443.tif 000006